(57)【要約】      （修正有）【課題】洗浄が容易で衛生的且つ捕集性に優れた散髪用ケープを提供する。【解決手段】中央近傍に被散髪者が頭を挿入する開口部３が形成されている中空円錐台状のシート部２と、シート部２の外周縁部を覆う環状のリング孔４に挿設された環状のリング１０と、を有し、リング１０は、リング孔４に対して挿脱自在である。これにより、シート部２からリング１０を外して、一般的な洗濯機を利用してシート部２を容易に洗濯することができる。【選択図】図１
0003223483.tif 000002
【実用新案登録請求の範囲】
【請求項１】
中央近傍に被散髪者が頭を挿入する開口部が形成されている中空円錐台状のシート部と、
前記シート部の外周縁部を覆う環状のリング孔に挿設された環状のリングと、を有し、
前記リングは、前記リング孔に対して挿脱自在であることを特徴とする散髪用ケープ。
【請求項２】
前記リング孔には、前記リングを挿通可能なリング開口が形成されており、
前記リングは、その両端部が継手に嵌着されて連結され、
前記リングの少なくとも一方の端部は、前記継手から嵌脱自在であることを特徴とする請求項１に記載の散髪用ケープ。
【請求項３】
一端が前記開口部近傍に支持され他端が前記リング孔近傍に支持されている複数の吊紐を有し、
前記吊紐は、送り環が設けられて伸縮自在であることを特徴とする請求項１または請求項２に記載の散髪用ケープ。
【請求項４】
前記シート部の開口部とリング孔との間には、毛受開口が形成されており、
前記毛受開口の下方には、前記毛受開口の周縁部に開口周縁部が縫着され上方に開口する袋部が設けられていることを特徴とする請求項１から請求項３のいずれか１項に記載の散髪用ケープ。
【考案の詳細な説明】
【技術分野】
【０００１】
本考案は、散髪の際にカットされた髪の毛を捕集する散髪用ケープに関する。
【背景技術】
【０００２】
従来、散髪の際に髪の毛が床等に飛散することを防ぐため、被散髪者に被せられて、カットされた髪の毛を捕集する散髪用ケープが知られている。
【０００３】
例えば、特許文献１には、可撓性の円錐状カバー本体と、それに連設された可撓性の環状帯部と、円錐状カバー本体と環状帯部に連結された複数の紐状体と、円錐状カバー本体の下端円周縁部分と環状帯部の上端円周縁部分にそれぞれ取り付けられた環状ワイヤと、を備える散髪用カバーが開示されている。
【先行技術文献】
【特許文献】
【０００４】
【特許文献１】実登第３１４６１３２号公報
【考案の概要】
【考案が解決しようとする課題】
【０００５】
しかしながら、従来技術の散髪用ケープには、清潔な状態で使用でき、髪の毛を捕集する優れた性能が得られるよう改善すべき点があった。
【０００６】
具体的には、上記した従来技術のようにケープ本体の円周縁に環状ワイヤが設けられている構成では、散髪用ケープの洗浄が容易ではなかった。即ち、環状ワイヤが取り付けられた円錐状カバー本体は、一般的な洗濯機の洗浄槽に入れて洗濯できる大きさではなかった。
【０００７】
特に、病院や介護施設等において入院患者や被介護者等複数の被散髪者に対して散髪を行う際には、衛生的な状態を保つよう、散髪用ケープを洗浄水で清潔に洗浄することが求められている。
【０００８】
しかしながら、従来技術の散髪用ケープでは、洗濯機を用いた洗濯ができなかった。そのため、病院等で使用する場合には、シャワーで洗浄水を吹きつける洗浄を行っており、その作業は容易ではなかった。
【０００９】
また、上記した散髪用カバーでは、環状帯部に連結された紐状体の長さを調節することができない。そのため、環状帯部の上端円周縁部分を被散髪者の体形に応じて好適な高さに調整することができなかった。よって、体形の異なるそれぞれの被散髪者に対応して、カットされた髪の毛について、床等への飛散が少ない効率的な捕集が難しい。
【００１０】
本考案は、上記の事情に鑑みてなされたものであり、その目的とするところは、洗浄が容易で衛生的且つ捕集性に優れた散髪用ケープを提供することにある。
【課題を解決するための手段】
【００１１】
本考案の散髪用ケープは、中央近傍に被散髪者が頭を挿入する開口部が形成されている中空円錐台状のシート部と、前記シート部の外周縁部を覆う環状のリング孔に挿設された環状のリングと、を有し、前記リングは、前記リング孔に対して挿脱自在であることを特徴とする。
【考案の効果】
【００１２】
本考案の散髪用ケープによれば、中央近傍に被散髪者が頭を挿入する開口部が形成されている中空円錐台状のシート部と、シート部の外周縁部を覆う環状のリング孔に挿設された環状のリングと、を有し、リングは、リング孔に対して挿脱自在である。これにより、シート部からリングを外して、一般的な洗濯機を利用してシート部を容易に洗濯することができる。よって、病院等で入院患者等の散髪を行う際にも、散髪用ケープを清潔な状態に保ち、衛生的な問題なく安全に、髪の毛の捕集に使用することができる。
【００１３】
また、本考案の散髪用ケープによれば、前記リング孔には、前記リングを挿通可能なリング開口が形成されており、前記リングは、その両端部が継手に嵌着されて連結され、前記リングの少なくとも一方の端部は、前記継手から嵌脱自在であっても良い。このような構成により、環状の形態をなすリングを、その一端を継手から外し環形状を解いて、容易にリング孔から引き抜くことができる。これにより、散髪後、シート部を容易に洗濯して清潔にすることができる。
【００１４】
また、本考案の散髪用ケープによれば、一端が前記開口部近傍に支持され他端が前記リング孔近傍に支持されている複数の吊紐を有し、前記吊紐は、送り環が設けられて伸縮自在であっても良い。これにより、吊紐の長さを変えて、シート部の下部円周縁を被散髪者に応じて好適な高さに調整することができる。よって、髪の毛の捕集性能を高めて、散髪用ケープ外への飛散を防止することができる。
【００１５】
また、本考案の散髪用ケープによれば、前記シート部の開口部とリング孔との間には、毛受開口が形成されており、前記毛受開口の下方には、前記毛受開口の周縁部に開口周縁部が縫着され上方に開口する袋部が設けられても良い。このような構成により、被散髪者の頭からカットされシート部の上面に落下した髪の毛を袋部で捕集することができる。よって、髪の毛を効率的に捕集できると共に、捕集した髪の毛を散髪後に容易に回収して廃棄することができる。また、その後のシート部の洗浄も容易になる。
【図面の簡単な説明】
【００１６】
【図１】本考案の実施形態に係る散髪用ケープの概略構成を示す斜視図である。
【図２】本考案の実施形態に係る散髪用ケープの概略構成を示す平面図である。
【図３】本考案の実施形態に係る散髪用ケープのリングの継手近傍を示す図であり、図３（Ａ）は、リングを継手で連結した状態、図３（Ｂ）は、リングを継手から外した状態を示す。
【図４】本考案の実施形態に係る散髪用ケープのリング開口近傍を示す図である。
【考案を実施するための形態】
【００１７】
以下、本考案の実施形態に係る散髪用ケープを図面に基づき詳細に説明する。
図１は、本考案の実施形態に係る散髪用ケープ１を前方斜め上から見た概略構成を示す斜視図である。
【００１８】
散髪用ケープ１は、散髪の際に被散髪者の肩上に掛けられてカットされた髪の毛を捕集するものである。図１に示すように、散髪用ケープ１は、略中空円錐台状の形態をなしケープ本体部を構成するシート部２を有する。
【００１９】
シート部２は、例えば、合成繊維からなる布帛や合成樹脂製のシート材料から形成されている。シート部２の略中央には、被散髪者の頭を挿入する開口部３が形成されており、シート部２の外周縁部には環状のリング１０が設けられている。
【００２０】
開口部３の周縁部には、被散髪者の首周りに固定される細幅の襟片７が縫着されている。襟片７には、被散髪者の首に合せて開口部３の大きさを変えるための切開部６が形成されている。
【００２１】
切開部６の内周側には、広げられた切開部６の内周側開口を覆う幅広の襠８が設けられている。切開部６を開き開口部３を広げることにより、開口部３に被散髪者の頭を挿入することができる。
【００２２】
開口部３の周縁部に縫着されている襟片７には、切開部６を閉じた際に、襟片７の切開部６両側を接合する面ファスナ９が縫着されている。詳しくは、切開部６近傍の襟片７の一端側の外周面には、その外周方向に延在する略帯状の面ファスナ９ａが縫着されており、襟片７の他端側の内周面には、面ファスナ９ａに接着する面ファスナ９ｂが縫着されている。
【００２３】
開口部３に被散髪者の頭が挿入され、被散髪者の首に襟片７が巻かれて、面ファスナ９ａ、９ｂによって襟片７の両端が接合される。開口部３は、被散髪者の首に応じた好適な開口面積で被散髪者の首に支持される。
【００２４】
リング１０は、シート部２の外周縁部を支持する部材であり、シート部２の外周縁部に形成された環状のリング孔に挿設されている。リング１０は、合成樹脂または金属からなる可撓性を有するワイヤ、棒材、細管材等である。詳細については後述する。
【００２５】
散髪用ケープ１は、散髪に使用する際にシート部２の外周縁部を支持する複数の吊紐１３を有する。吊紐１３は、例えば、合成繊維製の布材料から形成された帯状体であり、その一端が開口部３近傍に支持され、他端がリング孔４近傍に支持されている。
【００２６】
吊紐１３は、開口部３を挟んで両側にそれぞれ２本、合計で４本設けられている。具体的には、吊紐１３は、例えば、４本の帯状体を材料として、それぞれの一端を開口部３近傍に縫着し、他端をリング孔４近傍に支持することにより構成されても良い。
【００２７】
また、吊紐１３は、例えば、２本の帯状体を材料として構成されても良い。即ち、２本の帯状体を、それぞれの中央近傍で開口部３を挟むように、開口部３の両側に配置し、それぞれの帯状体の中央近傍を開口部３近傍に縫着して、外側の両端でリング孔４近傍を支持するよう構成しても良い。
【００２８】
吊紐１３は、その延在方向に伸縮自在に構成されている。詳しくは、吊紐１３は、シート部２の開口部３近傍に縫着された中央側吊紐１４と、一端がリング孔４近傍に縫着された外周側吊紐１５と、から構成され、中央側吊紐１４には、送り環１６が設けられている。
【００２９】
送り環１６は、帯状体を位置変更自在に連結するベルト連結部材であり、例えば、合成樹脂または金属材料から形成されている。中央側吊紐１４は、送り環１６の環状部に挿通されている。中央側吊紐１４の外周側の端部は、中央側に折り返され、送り環１６を介して中央側吊紐１４の中央側に連結されている。
【００３０】
また、折り返された中央側吊紐１４の外周側は、連結環１７を介して外周側吊紐１５の中央側端部近傍に取り外し自在に連結されている。連結環１７は、帯状体を取り外し自在に連結する固定式のベルト連結部材であり、例えば、合成樹脂または金属材料から形成されている。なお、連結環１７としては、取り外し式ではない角環等を採用しても良い。
【００３１】
送り環１６は、中央側吊紐１４の延在方向に位置変更自在である。即ち、中央側吊紐１４は、送り環１６に連結された外周側の端部が中央側吊紐１４の延在方向に位置変更自在であり、折り返し長さが可変となっている。
【００３２】
上記の構成により、吊紐１３は、伸縮自在となっている。これにより、吊紐１３の長さを変えて、シート部２の下部円周縁を被散髪者の体形や体制に応じて好適な高さに調整することができる。よって、髪の毛の捕集性能を高めて、散髪用ケープ１外への飛散を防止することができる。例えば、病院や介護施設等においては、被散髪者となる入院患者等に対応して、ベッド上や車椅子その他介護用用品等の近傍であっても散髪用ケープ１を好適な状態に調整して利用することができる。
【００３３】
図２は、散髪用ケープ１の概略構成を示す平面図である。
図２に示すように、シート部２の開口部３とリング孔４との間には、髪の毛を挿通可能な開口である毛受開口１８が形成されている。そして、毛受開口１８の下方、即ちシート部２の下面側には、髪の毛を受け入れる袋部１９が設けられている。具体的には、袋部１９は、合成繊維からなる布帛や合成樹脂製のシート材料から形成された袋状体であり、その開口周縁部が毛受開口１８の周縁部に縫着され、上方に開口している。
【００３４】
このような構成の袋部１９を有することにより、被散髪者の頭からカットされシート部２の上面に落下した髪の毛を袋部１９で捕集することができる。よって、髪の毛を効率的に捕集できると共に、散髪後には、捕集した髪の毛を容易に回収して廃棄することができる。また、その後のシート部２の洗浄も容易に行うことができる。
【００３５】
リング１０が挿設されるリング孔４は、環状、即ち上面視で略円形状の形態をなし、シート部２の外周縁部を覆うように設けられている。具体的には、リング孔４は、合成繊維等からなる帯状体を幅方向に曲折し、シート部２の外周縁部近傍を上下方向から挿むように設けて縫着することにより、帯状体の内側に形成されている。
【００３６】
リング孔４には、外部からリング孔４の内部につながる開口であって、リング１０を挿通可能なリング開口５が形成されている。そして、リング１０は、リング孔４に対して挿脱自在に設けられている。
【００３７】
図３（Ａ）及び図３（Ｂ）は、散髪用ケープ１のリング１０の継手１１近傍を示す図である。図３（Ａ）は、リング１０を継手１１で連結した状態を示し、図３（Ｂ）は、リング１０を継手１１から外した状態を示す。
図３（Ａ）に示すように、リング１０は、その端部が継手１１に嵌着されて連結される。継手１１は、合成樹脂や金属等から形成され略円筒状の形態をなし、両端部近傍にリング１０の端部を嵌めることが可能な嵌合部を有する。なお、継手１１としては、クリップ、マグネット、金具等、その他の連結部材が用いられても良い。
【００３８】
図３（Ｂ）に示すように、継手１１の少なくとも一方の嵌合部は、リング１０の端部を嵌脱可能に形成されている。即ち、リング１０は、少なくとも一方の端部を継手１１から引き抜いて外すことができる。そして、リング１０は、少なくとも一方の端部が継手１１から外されることにより、環状体の連結が解かれる。
【００３９】
図４は、散髪用ケープ１のリング開口５近傍を示す図である。
図４に示すように、継手１１との嵌め合いが抜かれて環状体の連結が解かれているリング１０は、リング開口５を介してリング孔４に挿脱可能である。
【００４０】
前述のとおり、リング１０は、少なくとも一方の端部が継手１１から外されることにより、環状体の連結が解かれる。環状体の連結が解かれたリング１０は、リング孔４に挿入された後、図３（Ａ）に示す如く、両端部が継手１１に嵌められて連結され、図１に示す如く、環状に形成されてシート部２の外周縁部近傍を支持する。
【００４１】
他方、リング孔４に挿設されていた環状のリング１０は、図３（Ｂ）に示す如く、端部を継手１１から引き抜くことにより環状体の連結が解かれる。そして、図４に示すように、環状体の連結が解かれたリング１０は、リング開口５を介して引き抜き、シート部２から容易に取り外すことができる。
【００４２】
リング１０が取り外されたシート部２は、外周縁部を円形状に支持する部材がないので、一般の布帛のように容易に折り畳むことが可能であり、一般的な洗濯機を利用して容易に洗濯することが可能である。
【００４３】
このように、リング１０はリング孔４に対して挿脱自在であり、これにより、シート部２は洗濯が容易である。よって、病院等で入院患者等の散髪を行う際にも、散髪用ケープ１を清潔な状態に保ち、衛生的な問題なく安全に、髪の毛の捕集に使用することができる。
【００４４】
図２を参照して、リング孔４にリング１０を挿入するためのリング開口５は、シート部２の外周縁部の対向する２箇所に形成されている。リング１０は、２本設けられ、その長さは、シート部２の外周寸法の約１／２である。また、リング１０を連結する継手１１は、一対設けられる。
【００４５】
一対のリング１０は、それぞれの端部が継手１１を介して連結され、これによりシート部２の外周縁部を支持する環状体が構成される。このように、２箇所のリング開口５が形成され、２本のリング１０が使用されることにより、リング孔４からのリング１０の引き抜きが容易になると共に、取り外したリング１０の取り扱いも容易になる。
【００４６】
なお、上記の構成に代えて、１本のリング１０を使用する構成でも良い。即ち、１本のリング１０をリング孔４に挿入し、リング１０の両端部を継手１１によって連結する構成でも良い。このような構成は、部品数が少なく、生産性において有利である。
【００４７】
以上説明の如く、散髪用ケープ１は、リング１０の両端部が継手１１に嵌着されて連結され、リング１０の少なくとも一方の端部は、継手１１から嵌脱自在である。このような構成により、環状の形態をなすリング１０について、その一端を継手１１から外し環形状を解いて、容易にリング孔４から引き抜くことができる。
【００４８】
これにより、散髪を行った後、リング１０を取り外して、シート部２を容易に洗濯して清潔にすることができる。散髪用ケープ１によれば、容易で衛生的且つ捕集性に優れた効果が得られ、特に、衛生管理の観点から清潔な洗浄が要求される病院、介護施設等における散髪に好適である。
【００４９】
なお、本考案は、上記実施形態に限定されるものではなく、その他、本考案の要旨を逸脱しない範囲で、種々の変更実施が可能である。
【符号の説明】
【００５０】
１      散髪用ケープ
２      シート部
３      開口部
４      リング孔
５      リング開口
６      切開部
７      襟片
８      襠
９、９ａ、９ｂ 面ファスナ
１０    リング
１１    継手
１３    吊紐
１４    中央側吊紐
１５    外周側吊紐
１６    送り環
１７    連結環
１８    毛受開口
１９    袋部
【図１】
0003223483.tif 000003
【図２】
0003223483.tif 000004
【図３】
0003223483.tif 000005
【図４】
0003223483.tif 000006